(57)【要約】本明細書に記載される実施形態は、アスレチック運動を訓練するための重り付き衣服を提供する。重りは、衣服が使用されるときに、関節にかかるストレスを制限し、アスレチック運動の自然なメカニックに干渉しないように、戦略的に配置することができる。衣服は、種々のアスレチック運動を訓練するために構成することができる。一実施形態は、投球運動を訓練するための重り付き衣服を含む。衣服は、上部分、下部分、および接合部分を有する可撓性形式のフィッティングスリーブと、上部分に連結される可撓性の第１の重りと、下部分に連結される可撓性の第２の重りとを備えることができる。重り付き衣服は、重り付き衣服が、アスレチック運動を行うための着用者の自然なメカニックに干渉しないように、構成することができる。
2012525940.tif 000002
【特許請求の範囲】
【請求項１】
選択されたアスレチック運動を訓練する重り付き衣服であって、該重り付き衣服は、
上部分、下部分、および接合部分を有する可撓性形式のフィッティングスリーブと、
可撓性の第１の重りであって、該第１の重りが該上部分に連結されることにより、該衣服が着用されるとき、着用者の腕の後部の上におよび該着用者の肩に近接して設置される、可撓性の第１の重りと、
可撓性の第２の重りであって、該第２の重りが該下部分に連結されることにより、該衣服が着用されるとき、肘に近接して該着用者の前腕の後部の上に設置される、可撓性の第２の重りと、
を備え、該重り付き衣服は、着用されるとき、該選択されたアスレチック運動を行うための着用者の自然なメカニックに干渉しないように構成される、重り付き衣服。
【請求項２】
前記重り付き衣服は、前記上部分に連結される単一の重りと、前記下部分に連結される単一の重りとを備える、請求項１に記載の重り付き衣服。
【請求項３】
前記選択されたアスレチック運動は、野球の投球運動である、請求項２に記載の重り付き衣服。
【請求項４】
前記第１の重りは、前記衣服が着用されるとき、該第１の重りの質量中心が、前記着用者の上腕の上側１／３にあり、前記第２の重りは、該衣服が着用されるとき、該着用者の前腕の上側１／３にあるように設置される、請求項３に記載の重り付き衣服。
【請求項５】
前記第１の重りは、前記衣服が着用されるとき、該第１の重りが、前記着用者の上腕の後部の上、および少なくとも部分的に該着用者の上腕の外側部にあるように位置する、請求項４に記載の重り付き衣服。
【請求項６】
前記第２の重りは、前記衣服が着用されるとき、該第２の重りが、前記着用者の前腕の後部の上、および少なくとも部分的に該着用者の前腕の外側部にあるように位置する、請求項５に記載の重り付き衣服。
【請求項７】
前記スリーブは、前記第１の重りを保持する上ポケットと、前記第２の重りを保持する下ポケットとを備える、請求項３に記載の重り付き衣服。
【請求項８】
前記重り付き衣服は、前記衣服の前部分に重りが付けられていない、請求項３に記載の重り付き衣服。
【請求項９】
前記スリーブは、圧縮材料の１つ以上のパネルで形成される、請求項３に記載の重り付き衣服。
【請求項１０】
前記上部分に配置される複数の付加的な重りと、前記下部分に配置される複数の付加的な重りとをさらに備える、請求項３に記載の重り付き衣服。
【請求項１１】
前記スリーブは、グリッピング材料の層を備え、該グリッピング材料の層は、前記衣服が着用されるとき、着用者の腕と接触するように配置され、および投球中の該重り付き衣服の滑動を防止するように選択される、請求項１に記載の重り付き衣服。
【請求項１２】
前記第１の重りおよび前記第２の重りは、可撓性のポリマー重りを備える、請求項１に記載の重り付き衣服。
【請求項１３】
前記第１の重りおよび前記第２の重りは、厚さ約１／４インチである、請求項１２に記載の重り付き衣服。
【請求項１４】
前記スリーブは、該スリーブが使用中に滑動することを防止するように適合される１つ以上のストラップを備える、請求項１に記載の重り付き衣服。
【請求項１５】
前記ストラップのうちの少なくとも１つは、締められているとき、前記着用者の腕の腱に圧力を印加するように設置される、請求項１４に記載の重り付き衣服。
【請求項１６】
選択されたアスレチック運動を訓練するアスレチック訓練キットであって、該キットは、
可撓性形式のフィッティングスリーブであって、
上腕の上に適合する上部分、下腕の上に適合する下部分、および着用者の肘にまたがる接合部分と、
上腕の重りを保持するように該上部分に配置される第１のポケットであって、該第１のポケットは、スリーブが着用されるときに、該第１のポケット内の重りが、該選択されたアスレチック運動を行うための着用者の自然なメカニックに干渉しないような位置で、該着用者の肩に近接し、および該着用者の腕の後方に該上腕の重りを保持するように設置される、第１のポケットと、
下腕の重りを保持するように該下部分に配置される第２のポケットであって、該第２のポケットは、該スリーブが着用されるときに、該第２のポケット内の重りが、該選択されたアスレチック運動を行うための該着用者の自然なメカニックに干渉しないような位置で、該着用者の肘に近接し、および該着用者の前腕の後方に該下腕の重りを保持するように設置される、第２のポケットと
備えるフィッティングスリーブと、
増分質量を有する一組の可撓性の重りであって、各可撓性の重りは、該第１のポケットまたは該第２のポケットのうちの１つに適合するようにサイズ設定される可撓性の重りと
を備える、キット。
【請求項１７】
前記選択されたアスレチック運動は、野球の投球運動である、請求項１６に記載の訓練キット。
【請求項１８】
前記スリーブは、前記上部分の上の単一のポケットと、前記下部分の上の単一のポケットとを備える、請求項１７に記載の訓練キット。
【請求項１９】
前記スリーブは、投球中に、前記重り付き衣服の滑動を防止するように適合される、連結された１つ以上の調整可能なストラップを備える、請求項１７に記載の訓練キット。
【請求項２０】
前記調整可能なストラップのうちの少なくとも１つは、締められているとき、腱に圧力を印加するように設置される、請求項１９に記載の訓練キット。
【請求項２１】
前記スリーブは、重りを保持する複数の付加的なポケットを備え、該複数の付加的なポケットの各々は、前記選択されたアスレチック運動を行うときに、該スリーブが、前記着用者の自然なメカニックに干渉しないように設置される、請求項１６に記載の訓練キット。
【請求項２２】
アスレチック運動を能動的に強化する方法であって、該方法は、
重り付き衣服を着用しながら、選択されたアスレチック運動を繰り返し行うことであって、該重り付き衣服は、該運動を行っているときに、着用者の自然なメカニックに干渉しないように設置される重りを有し、該重り付き衣服は、
上部分、下部分、および接合部分を有する可撓性形式のフィッティングスリーブと、
可撓性の第１の重りであって、該衣服が着用されるとき、該第１の重りが、着用者の腕の後部の上におよび該着用者の肩に近接して設置されるように該上部分に連結される、可撓性の第１の重りと、
可撓性の第２の重りであって、該衣服が着用されているとき、該第２の重りが、肘に近接して該着用者の前腕の後部の上に設置されるように該下部分に連結される、可撓性の第２の重りと
を備える、ことと、
該可撓性の第１の重りおよび該可撓性の第２の重りをより重い重りと置換することと、
該より重い重りを着用しながら、該アスレチック運動を繰り返し行うことと
を含む、方法。
【請求項２３】
前記アスレチック運動は、投球であり、該アスレチック運動は、規定の重量の野球ボールを用いて繰り返される、請求項２２に記載の方法。
【請求項２４】
前記アスレチック運動は、リハビリテーションプログラムの一部として行われる、請求項２２に記載の方法。
【発明の詳細な説明】
【技術分野】
【０００１】
（関連出願）
本願は、米国仮特許出願第６１／１７６，５０６号（名称「Ｍｕｓｃｌｅ  Ｓｔｒｅｎｇｔｈｅｎｉｎｇ  Ｓｙｓｔｅｍ  ａｎｄ  Ｍｅｔｈｏｄ」、２００９年５月８日出願）および米国仮特許出願第６１／２８７，２８９号（名称「Ｍｕｓｃｌｅ  Ｓｔｒｅｎｇｔｈｅｎｉｎｇ  Ｓｙｓｔｅｍ  ａｎｄ  Ｍｅｔｈｏｄ」、２００９年１２月１７日出願）の米国特許法第１１９条第（ｅ）項の優先権の利益を主張し、これらの出願の各々は、全体として本明細書に参照により援用される。
【０００２】
（発明の分野）
本明細書に記載される実施形態は、強化システムおよび方法に関する。より具体的には、本明細書に記載される実施形態は、選択されたアスレチック運動の自然なメカニック（ｍｅｃｈａｎｉｃｓ）に干渉せずに、選択されたアスレチック運動を能動的に強化する重り付き衣服に関する。
【背景技術】
【０００３】
アスリートは、一貫して正確でパワフルなパフォーマンスを求める。アマチュアおよびプロのアスリートはどちらも、プレーを強化し、競争のトップになるために、効果的かつ迅速な訓練／強化技法を求める。しかしながら、多数の訓練方法は、安全ではないか、または身体メカニックに悪影響を及ぼし得る。
【０００４】
野球業界において、例えば、投球強さを増加させようとして、次の、１）毎日のプレーで使用される通常のボールよりも重い重り付きボール、２）運動能力向上薬、３）テラバンド、４）ジョーブエクササイズ、および５）ウェイトリフティングが使用されている。すべてが筋力を増大させることに対して妥当な実践であると思われるが、さらに詳しく調査すると、これらの技法の限界が示される。特に、これらの訓練方法は、利益以上に害をもたらし得るか、または適切な筋肉を効果的に強化することに直接つながり得ない。
【０００５】
重り付きボールは、急激に人気を高めている。しかしながら、重り付きボールの使用は、負傷の脅威を与え、投球メカニックに悪影響を及ぼし得る。投球運動において、人は肘を動かす。ボールに重りを追加することで、内側側副靱帯（ＵＣＬ）および関節唇にかかるストレスを増加させる。この付加的なストレスは、ＵＣＬおよび／または関節唇の障害をもたらすか、または加速させる可能性があり、靱帯の片方または両方において、歪みまたは裂傷をもたらし得る。また重り付きボールは、自律神経系（ＡＮＳ）を混乱させる可能性がある。結果として、プレーヤは、通常の重さのボールに戻したときに、プレーヤは、一定のリリース点を有しなくなり得る。別の欠点は、重り付きボールは、投球運動の加速部分に対する抵抗を付加するに過ぎないという事実である。一旦ボールが手から離れると、投球運動の減速部分において使用される筋肉を強化することを助ける付加された抵抗が存在しないが、この筋肉も速度を得る際に重要となり得る。
【０００６】
テラバンド、ジョーブエクササイズ、およびウェイトリフティングは、すべて、アスリートの体力を増加させるか、またはアスリートの健康維持を助けるために良好な方法である。しかしながら、これらはいずれも、スポーツに特徴的な活動の（例えば、野球でボールを投げる）間に使用される筋肉を機能的に強化することに直接的には移行しない。これらの技法は、負傷の基本的な防止およびある筋肉の全体的な強化において良好であり得るが、それらは、ボールをより速く投げるために必要とされる力を直接付加することに役立たない。ウェイトリフティングは、ある程度有効であり得るが、筋肉が能動的に強化されないので、固くおよび緊張状態になることが多い。スポーツに特異的な訓練（例えば、野球選手の投球）の場合、不適切なウェイトリフティングは、実際に効果的なプレーを阻害し得る。
【０００７】
「運動能力向上」薬およびサプリメント（違法である場合が多い）は、競争中のパフォーマンスを強化する試みにおいて、アスリートによって使用される。これらの薬と関連付けられる潜在的なリスクのいくつかは、特に、肝臓障害、心臓病および心臓発作のリスクの増大である。さらに、これらの薬物およびサプリメントは、アスリートが使用している筋肉強化レジメンを強化する傾向があり、したがって、効果のない強化プログラムを強める場合がある。
【発明の概要】
【課題を解決するための手段】
【０００８】
本明細書に記載される実施形態は、アスレチック運動を訓練するための重り付き衣服を提供する。重りは、衣服が使用されるときに、関節にかかるストレスを制限し、アスレチック運動の自然なメカニックに干渉しないように、戦略的に配置することができる。衣服は、種々のアスレチック運動を訓練するために構成することができる。一実施形態は、野球の投球運動等の選択されたアスレチック運動を訓練するための重り付き衣服を含む。衣服は、上部分、下部分、および接合部分、衣服が着用されているとき、第１の重りが着用者の腕の後部の上および着用者の肩に近接して設置されるように上部分に連結される、可撓性の第１の重り、および衣服が着用されているとき、第２の重りが、肘に近接して着用者の前腕の後部の上に設置されるように下部分に連結される、可撓性の第２の重り、を有する、可撓性形式のフィッティングスリーブを備えることができる。重り付き衣服は、該重り付き衣服が、選択されたアスレチック運動を行うときに、重り付き衣服が、着用者の自然なメカニックに干渉しないように構成することができる。
【０００９】
別の実施形態は、選択されたアスレチック運動を訓練するためのアスレチック訓練キットを含むことができる。アスレチック訓練キットは、可撓性形式のフィッティングスリーブと、増分質量を有する可撓性の重りとを備えることができる。フィットするスリーブは、上腕の重りを保持するように上部分の上に配置される、第１のポケットと、下腕の重りを保持するように下部分の上に配置される、第２のポケットと、を含むことができる。第１のポケットおよび第２のポケットは、アスレチック運動を行うための着用者の自然なメカニックに干渉しない位置に重りを保持するように設置される。
【００１０】
本明細書に記載される実施形態は、運動の自然なメカニックに干渉することなく、特定の運動の能動的な訓練を可能にすることによって、既存の訓練システムおよび方法を上回る利点を提供する。
【００１１】
本明細書に記載される実施形態は、関節に過度のストレスをかけることなく、アスレチック運動の能動的な訓練を提供することによって、別の利点を提供する。
【図面の簡単な説明】
【００１２】
実施形態のより完全な理解、およびそれらの利点は、以下の説明を参照することによって、同様の参照番号が同様の機能を指す、添付の図面と併せて得られる。
【図１】図１は、選択されたアスレチック運動のために重りを配置する、図式的表示である。
【図２Ａ】図２Ａ−Ｃは、重り付き衣服の一実施形態の図式的表示である。
【図２Ｂ】図２Ａ−Ｃは、重り付き衣服の一実施形態の図式的表示である。
【図２Ｃ】図２Ａ−Ｃは、重り付き衣服の一実施形態の図式的表示である。
【図３】図３は、重り付き腕スリーブの別の実施形態の図式的表示である。
【図４】図４は、下腕スリーブの実施形態の図式的表示である。
【図５Ａ】図５Ａ−Ｂは、重り付き腕スリーブの別の実施形態の図式的表示である。
【図５Ｂ】図５Ａ−Ｂは、重り付き腕スリーブの別の実施形態の図式的表示である。
【図６Ａ】図６Ａ−Ｃは、重り付き腕スリーブのさらに別の実施形態のビューを示す、図式的表示である。
【図６Ｂ】図６Ａ−Ｃは、重り付き腕スリーブのさらに別の実施形態のビューを示す、図式的表示である。
【図６Ｃ】図６Ａ−Ｃは、重り付き腕スリーブのさらに別の実施形態のビューを示す、図式的表示である。
【図７Ａ】図７Ａ−Ｃは、重り付き腕スリーブのさらに別の実施形態の図式的表示である。
【図７Ｂ】図７Ａ−Ｃは、重り付き腕スリーブのさらに別の実施形態の図式的表示である。
【図７Ｃ】図７Ａ−Ｃは、重り付き腕スリーブのさらに別の実施形態の図式的表示である。
【図８】図８は、重り付きスリーブのさらに別の実施形態の図式的表示である。
【図９】図９は、重り付き衣服の別の実施形態の図式的表示である。
【図１０】図１０は、重り付き脚スリーブの実施形態の図式的表示である。
【図１１】図１１は、重り付き脚スリーブの別の実施形態の図式的表示である。
【図１２】図１２は、重り付き脚スリーブのさらに別の実施形態の図式的表示である。
【図１３】図１３−１５は、重りの実施形態の図式的表示である。
【図１４】図１３−１５は、重りの実施形態の図式的表示である。
【図１５】図１３−１５は、重りの実施形態の図式的表示である。
【発明を実施するための形態】
【００１３】
筋肉は、人の体の自然な重さを制御および移動させるように適合される。付加的な重りが導入されると、筋肉は、重りがそこにない場合と同一の結果を達成するために、この付加的な重りを克服しなければならない。能動的な強化は、筋肉をストレスの下に置きながら、身体活動の運動を行う（例えば、野球ボールを投げる）こととして定義される。筋肉は破壊された後に修復されると、自然に強くなり、こうして、よりクオリティが高く、よりパワフルなアスレチック運動がもたらされる。
【００１４】
運動を強化するために重りを付加する場合、運動のメカニック（すなわち、形式）は、重りの位置、重りの量、重りの形状、または他の要素に基づいて変化し得る。本明細書に記載される実施形態は、運動のメカニックに干渉することなく、選択されたアスレチック運動に対して能動的に筋肉を強化する、重り付き衣服システムを提供する。例示的運動は、これらに限定されないが、野球ボールを投げる、フットボールを投げる、バスケットボールをシュートする、バレーボールをスパイクまたはセットする、テニスボールを打つ、ゴルフボールを打つ、短距離走を走る、ハードルを跳ぶ、走り幅跳びを行う、パンチする、キックする、または他の運動が挙げられる。ユーザが、必要または要望に応じて、重りを任意に着脱する、種々の訓練プログラムを実装することができる。
【００１５】
筋肉は、筋肉がユーザの所望の運動を実行している間、小さいが戦略的に設置されるストレス下に筋肉を置くことによって強化される。重りは、安全であるが、効果的なレベルのストレスが筋肉上に形成されるように設置され、靱帯および関節に過度のストレスをかけることなく、筋肉を能動的に強化できるようにする。
【００１６】
重り付き衣服の一実施形態において、重りは、腕／脚の上に、体に対して自然な配分で配置され、重りが、体の領域の筋肉群に近接して配置されるようにする（例えば、上腕、下腕、ふくらはぎ、腿の大筋肉群）。重りは、ユーザが、所望の身体活動の「自然な」運動を体験できるように、配置されることができる。つまり、重り付き衣服は、運動を行うときに、アスリートの自然なメカニックを制限しない。ユーザは、そうでなければその活動を行う態様と同一または非常に類似する様式で訓練することができるので、付加的な重りは、活動中に使用される特定の筋肉を強化する。重り付き衣服は、本質的に、体の延長となるように設計することができるため、自然な運動が可能であり、したがって、重りを相殺するように体の動きを変える必要がない。結果として、アスリートは、重り付き衣服を相殺するために、ランニングフォーム、ゴルフのスイング、投球運動等を変える必要がない。
【００１７】
訓練によって不要なストレスが関節にかからないように、重りを設置することができる。関節にかかるストレスの量は、力が印加される距離に比例する。したがって、重りが関節から遠く離れるほど、関節が受けるストレスが高くなり、重りを移動させる。重り付き衣服は、関節にかかるストレスを低減するように、関節に近接して設置される重りで構成することができる。付加的に、重りの重さは、重りが過度に関節にストレスをかけないか、またはアスレチック運動のメカニックを妨害しないように選択することができる。
【００１８】
図１は、野球ボールの投球を能動的に訓練するために重りを配置する実施形態の図式的表示である。重りは、上腕および前腕、上腕のみ、または前腕のみに配置することができる。前腕に関して、重り１０は、この重りが屈筋を標的とするように配置することができる。この例において、重り１０は、前腕の後方部分に配置することができる。重りは、前腕の後部に集中させることができるか、または内側または外側部に設置されてもよい。図１の実施形態において、重りは、腕の屈曲を阻害し得るため、前腕の前方の上に配置されない。
【００１９】
肘にかかるストレスを低減するために、重り１０は、重り１０（または複数の重り１０）の質量中心が、前腕の上側１／２、より好ましくは、前腕の上側１／３にあるように配置することができる。一実施形態に従って、重りを手首付近の前腕の下側１／３に配置する利点は、起こり得るリスクまたは潜在的な悪習慣を上回らないので、重りはここに配置されない。例えば、手首領域にかかる重りは、野球ボールを投げる等のいくつかのアスレチック運動のメカニックに有害であり得る。特に野球の場合、付加された重りのために、リリース点（ボールが手から離れる時）を再規定する際に、体自体が混乱し得る。投球メカニックが潜在的に支障をきたすだけでなく、肘および肩関節にかかる付加的なストレスが増加し得る（手首領域にかかる重りは、関節からより遠く離れる距離に印加されるより大きな力と相関するため）。しかしながら、他の例において、重りは、手首に近接して配置されてもよい。
【００２０】
重り１２は、肩筋（前方および後方三角筋）および腕筋（二頭筋および三頭筋）を標的とするために、上腕に配置することができる。一実施形態に従って、重り１２は、上腕の前方に配置するか、上腕の後方に集中させるか、あるいは外側または内側部に配置することができる。付加的に、一実施形態において、重りは、上腕の前方から外側部に配置することができる。しかしながら、投球運動の場合、腕が回転するにつれて、重りが体と接触し、したがって、アスレチック運動を変える可能性があるので、重りを上腕の内側（例えば、二頭筋の内側）に過大に遠く離して配置することを回避することが望ましい場合がある。肩にかかるストレスを低減するために、重り１２は、重り１２（または複数の重り１２）の質量中心が、上腕の上側１／２、より好ましくは、上腕の上側１／３にあるように配置することができる。
【００２１】
一般に、任意の重量の重りを使用することができる。しかしながら、重すぎる重りは、訓練しているアスレチック運動のメカニックを妨害し得る。例えば、２ｌｂｓを超える総重量は、野球の投球運動のメカニックを妨害し得る。したがって、一実施形態に従って、重り付き衣服は、２ｌｂｓ以下の重りを含む。特定の実施形態において、重り付き衣服は、約１ｌｂｓの重りを含む。重りは、重り１０と重り１２との間に均等に分布し得るか、あるいは重り１０または重り１２のうちの一方がより重くてもよい。キック等の他の運動の場合、またはより高いパフォーマンスのアスリートの場合、より重い重りを使用することができる。
【００２２】
重り１０および１２は、腕の前方部分および内側部を含む、他の位置に配置することができる。配置にかかわらず、訓練されるアスレチック運動を行うときに、重りが体の自然な運動に干渉しないように重りを設置し、重りの重さを選択することができる。つまり、重りは、アスリートが、自身の投球するフォーム（または他の運動）を変える必要がないように選択および配置することができる。
【００２３】
重り１０および１２は、スリーブ等の衣服によって所定の位置に固定することができる。衣服がアスレチック運動中に予想される負荷を経験するときに、衣服が滑動しないように、より大きい衣服の一部として、グリッピング材料を使用するストラップでユーザに固定するか、または他の方法で固定することができる。衣服は、左手または右手で使用するように作製することができ、多様なサイズにサイズ設定することができる。野球の投球運動を能動的に訓練するための重り付き衣服の種々の非限定的な例の実施形態は、以下の図２〜９と併せて論じられる。図２〜９の実施形態は、運動の自然なメカニックに干渉することなく、多様な他のスイングまたは投球運動を訓練するために使用することもできる。
【００２４】
図２Ａおよび２Ｂは、野球の投球運動を訓練するための重り付き衣服１００の一実施形態の図式的表示である。図２の実施形態において、重り付き衣服は、腕にフィットし、上腕の重り１２および下腕の重り１０を保持するようにサイズ設定されるスリーブ１０２を備える。スリーブ１０２は、上腕部分１０４、下腕部分１０６、および接合部分１０８（例えば、肘部分１０８）を含み得る。上腕部分１０４は、肘の上から肩の直近まで延在している。下腕部分１０６は、肘の下から手首まで延在している。肘部分１０８は、上腕部分１０４と下腕部分１０６との間で着用者の肘関節に広がる。
【００２５】
スリーブ１０２の本体は、材料の単一パネルで形成することができるか、または縫合、接着、またはそうでなければ一緒に連結される材料の複数パネルから形成することができる。上腕部分１０４、下腕部分１０６、および接合部分１０８は、材料の単一部分で作製されるスリーブ体の部分であり得るか、またはスリーブの部分は、一緒に接合される材料の個別の部分であり得る。さらに別の実施形態において、上部分１０４、下部分１０６、および接合部分１０８は、スリーブを形成するために使用される材料の部分に必ずしも対応しない（例えば、材料の部分は、接合部分の一部であってもよく、下部分、材料の複数部分は、特定の部分を形成し得る）。
【００２６】
一実施形態に従って、スリーブ１０２は、フィットする可撓性材料で形成される。例として、スリーブ１０２は、これに限定されないが、圧縮材料（例えば、Ｕｎｄｅｒ  Ａｒｍｏｕｒ  Ｉｎｃ．（メリーランド州ボルチモア）によって提供される圧縮材料、ネオプレン、または他の圧縮材料）、または他の材料から形成することができる。圧縮材料の一例は、約６３％のナイロン、２３％のポリエステル、および１４％のエラスチンである、Ｕｎｄｅｒ  Ａｒｍｏｕｒの圧縮材料である。ネオプレンの一例は、２ｍｍ  Ｌ泡沫ネオプレンである。ネオプレン等の圧縮材料は、使用中の流体運動を可能にしながら、圧縮を提供することができる。付加的に、これらの材料は、筋肉を温め続け、疲労を低減し、遅発性筋肉痛を防止または低減することによって、付加的利益を提供する。
【００２７】
スリーブの種々の領域は、異なる厚さまたは材料特性を有し得る。非限定例として、肘部分１０８は、スリーブ１０２の残りと比較して、薄いネオプレンで形成することができるか、またはスリーブの領域の移動を容易にするために、より可撓性形式のネオプレンで作製することができる。例えば、上部分１０４および下部分１０６は、Ｌ−泡沫ネオプレンであり得るが、肘部分１０８は、伸縮性のフレックスネオプレンであり得る。当業者であれば、他の圧縮材料または他の材料を使用することができ、材料の厚さおよび特性は、必要または要望に応じて選択することができることを理解するであろう。
【００２８】
一実施形態において、スリーブ１０２は、磁化チタンまたは他の磁気材料等の有益かつ有利な材料を組み込むことができる。そのような材料の一例は、Ｐｈｉｔｅｎ  ＵＳＡ，Ｉｎｃ．（カリフォルニア州トレンス）のＰｈｉｔｅｎである（Ｐｈｉｔｅｎは、Ｐｈｉｔｅｎ  ＵＳＡ，Ｉｎｃ．の登録商標である）。種々の実施形態において、Ｐｈｉｔｅｎ材料を、スリーブ１０２の長さに渡って縫合することができ、Ｐｈｉｔｅｎの目立たない特性によって、材料は、重り付き衣服の用途のいずれにも干渉しない。代替実施形態では、重り付きスリーブの一部分のみが、Ｐｈｉｔｅｎまたは他の材料を組み込む。例えば、一実施形態において、接合部分１０８のみが、Ｐｈｉｔｅｎを組み込む。スリーブ１０２は、磁化ディスクまたは他の磁化材料を組み込むこともできる。
【００２９】
衣服１００は、重りを保持するために、スリーブ１０２の周囲に分布する重りポケット１１０を含むことができる。一実施形態に従って、ポケット１１０は、重りの挿入および除去を可能にし得る。ポケット１１０は、重りを保持するために、ボタン、フックアンドループ締結具（例えば、Ｖｅｌｃｒｏ（登録商標）  ＵＳＡ  Ｉｎｃ．（ニューハンプシャー州マンチェスター）から入手可能）、またはポケット１１０を閉合する他の締結メカニック等の締結メカニックを含み得る。他の実施形態において、ポケット１１０は、ポケット１１０の収縮に基づいて重りを保持する伸縮性材料で作製することができる。ポケット１１０は、ネオプレンまたは他の圧縮材料で形成することができ、スリーブの他の部分と同一の材料で形成することができるか、または異なる材料で形成されてもよい。ポケット１１０はすべて、上腕および下腕の重りを交換できるように、同一サイズを有し得るか、または異なるサイズの重りを収容するように、異なるサイズを有してもよい。好ましくは、ポケット１１０は、ポケット１１０内の重りの移動を防止するようにサイズ設定される。他の実施形態において、ポケット１１０は、重りの移動を防止または低減する材料で形成または裏打ちすることができる。
【００３０】
使用中、スリーブ１０２は、重りの推進力に起因して、滑動する傾向を有し得る。したがって、スリーブ１０２は、スリーブ１０２が滑動することを防止するように、保持ストラップまたはグリッピング材料の層を組み込むことができる。例えば、重り付き腕スリーブ１０２は、エクササイズ中にそれが腕から滑り落ちることを防止するように、粘着技術材料等であるが、これに限定されない、ゴム製の接着材料を含み得る。一実施形態にしたがって、スリーブの上部の周囲に、グリッピング材料の円形バンド１１２が組み込まれる。材料は、任意の所望されるサイズを有し得るが、一実施形態に従って、スリーブの上部では約０．５インチ以上の幅であり、完全または部分的にスリーブの直径に広がる。
【００３１】
グリッピング材料の一実施形態は、Ｏａｋｌｅｙ，Ｉｎｃ．（カリフォルニア州フットヒルランチ）のＵｎｏｂｔａｉｎｉｕｍ等のゴム製接着材料である。この材料は、濡れたときにより効果的となり得る。体が発汗するにつれて、液体の汗がＵｎｏｂｔａｎｉｕｍ材料の「グリッピング」を促進し得るため、この任意の材料は特に効果的であり得る。一実施形態において、Ｕｎｏｂｔａｉｎｉｕｍ材料は、重り付き腕スリーブの上部の周囲に（例えば、バンド１１２として）、ならびに皮膚と重り付き腕スリーブ１０２との間の接触の堅固かつ安全な地点として作用する重り付きポケットに沿って配置され、スリーブが腕から滑り落ちることを防止する。他の実施形態において、Ｕｎｏｂｔａｎｉｕｍ（または他のグリッピング材料）のパッチは、滑動を防止するように、スリーブの内側および／または末端上の種々の地点において配置することができる。
【００３２】
好ましくは、スリーブ１０２が滑動することを防止するように選択されるグリッピング材料、ストラップ、または他のメカニックは、８０ｍｐｈを超え、一部の実施形態においては１００ｍｐｈを超える高速投球中に、スリーブが滑動しないように選択される。他の実施形態において、スリーブは、リトルリーグ、高校またはアマチュア野球において一般に見られる低速投球または投げ技で滑動しないように構成することができる。
【００３３】
上述されるように、グリッピング材料は、ポケット１１０に近接して配置することもできる。簡単に図２Ｃを参照すると、図２Ｃは、グリッピング材料が重りの位置に組み込まれ得ることを説明する、図式的表示である。図２Ｃは、下腕部分１０６の上のポケット１１０の実施形態の断面を説明する。グリッピング材料１１４の層は、重り１２と腕との間に配置することができる。グリッピング材料１１４の層は、腕を取り囲むバンド、スリーブ１０２の内側に適用される材料のストリップ内にあり得るか、またはそうでなければ、重りと着用者の腕との間のスリーブ１０２内に配置することができる。
【００３４】
スリーブ１０２は、快適性または使い易さのための他の特徴を含むことができる。例として、スリーブ１０２は、通気性のための開口部、ジッパー、快適な裏地、または他の特徴を含み得る。付加的に、ストラップをスリーブ上の種々の地点に配置して、スリーブがそれらの領域においてさらに締められ得るようにすることができる。例えば、ストラップをポケットの上付近に配置して、滑動の防止を助けることができる。スリーブが着用者に対して過大な寸法である場合は、ストラップを使用して、スリーブを締めることもできる。ストラップが締められるとき、ストラップが腱または靱帯に圧力をかけるように、さらに設置することができる。追加された圧力は、腱炎の防止を助けることができる。
【００３５】
上記図２Ａおよび２Ｂは、野球の投球を訓練するための重り付き衣服１００の特定の実施形態を説明するが、重り付き衣服の他の実施形態を使用することができる。図３は、例えば、重り付きスリーブ１０２に類似し得る、重り付きスリーブ１５０の別の実施形態の図式的表示である。しかしながら、重り付きスリーブ１５０は、スリーブ１５０の上および下部分の上の重りポケット１５６を横断する、調整可能なストラップ１５２および１５４を含む。ストラップ１５２および１５４は、スリーブ１５０が滑動することを防止するために使用することができる。さらに、一実施形態に従って、所望の量の圧力が、腱または靱帯に印加され得るようにストラップを配置することができる。例えば、ストラップ１５２は、二頭筋腱の短頭および／または長頭の上に圧力をかけるように配置することができるが、ストラップ１５４は、外側および／または内側上顆あるいは他の腱の上に圧力をかけるように設置され得る。ストラップは、ボタン、フックアンドループ締結具、または他の締結メカニックを使用して固定する、調節可能なストラップであり得る。スリーブは、グリッピング材料または滑動を防止することを助ける他のメカニックを含んでもよい。
【００３６】
図２Ａ、２Ｂ、および３の実施形態において、スリーブは、上および下腕の重りの両方を保持する。別の実施形態にしたがって、スリーブが、上腕の重り用、または下腕の重り用に構成されてもよい。図４は、着用者の上腕に適合する（ｆｉｔ）前腕スリーブ１６０の実施形態の図式的表示である。スリーブ１６０は、所望の位置（この例では、主に前腕の後方／外側部分の上）に重りを保持するためのポケット１６２を含む。ストラップ１６４および１６５は、スリーブ１６０の固定を助けることができる。ストラップ１６４は、固定されると、腱に圧力をかけるように設置することができ、ストラップ１６５は、重りを所定の位置に保持することを助けるように配置することができる。ストラップは、ボタン、フックアンドループ締結具または他の締結メカニックを使用して固定する、調節可能なストラップであり得る。スリーブは、グリッピング材料または滑動を防止することを助ける他のメカニックを含むこともできる。
【００３７】
前述の実施例では、単一の上腕または前腕重りが使用される。しかしながら、他の実施形態において、複数の重りを上腕および／または前腕に使用することができる。図５Ａは、例えば、上腕の重り１２および下腕の重り１０を保持するためのポケット２０２を有する左腕スリーブ２００の実施形態の図式的表示である。図２Ａ、２Ｂ、および３の実施形態と同様に、スリーブ２００は、運動に干渉することなく、投球運動中に機能強化を提供する位置に重りを保持する。スリーブ２００は、スリーブ２００の上に配置されるか、またはそうでなければ、スリーブ２００が滑動することを防止するように配置されるグリッピング材料２０３の層を含み得る。別の実施形態において、スリーブ２００は、スリーブ２００が滑動することを防止するか、重りを所定の位置に保持することを助けるか、または腱に圧力をかけるストラップを含み得る。
【００３８】
図５Ｂは、重り１２を保持するためのポケット２０２を説明する、スリーブ２００の断面Ａ−Ａの図式的表示である。グリッピング材料２０４は、縫合するか、またはそうでなければ、ポケット２０２の底部に取り付けられて、材料がアスリートの皮膚と接触するようにすることができる。図５Ｂにおいて説明されるように、ポケットは、重りが主に腕の後方／外側部分（すなわち、腕の後方および外側）の上にあるように分布している。１つのポケット２０２は、部分的に腕の内側にあるが、この重りポケットは、内側のそれほど前方ではないので、アスリートの胴体と接触し、自然な投球運動に干渉する。
【００３９】
図６Ａ、６Ｂ、および６Ｃは、４つの重りのためのポケット２１２を有する左腕スリーブ２１０の別の実施形態の概観に関する図式的表示である。図６Ａでは、図５Ａと比較したときに、より長く、より幅広く間置されたポケット２１２が使用される。スリーブ２１０は、スリーブ２１０の上に配置されるか、またはそうでなければスリーブ２１０が滑動することを防止するように配置されるグリッピング材料の層を含む。別の実施形態において、スリーブ２１０は、スリーブ２１０が滑動することを防止し、重りを所定の位置に保持することを助けるか、または腱に圧力をかけるストラップを含み得る。
【００４０】
図６Ｂは、上腕重りポケット２１２ａおよび２１２ｂが、それぞれ上腕の後方内側部および前方外側部に設置され得ることを説明する。ここでもポケットは、それらが投球中に体の自然な運動に干渉しないように設置される。図６Ｃは、下腕重りポケット２１２ｃおよび２１２ｄが、スリーブの後方外側部および後方内側部の上に配置されることを説明する。ここでもポケット２１２ｃおよび２１２ｄは、それらがアスリートの自然な投球または他の投球運動のメカニックに干渉しないように配置される。
【００４１】
前述から理解できるように、種々の構成のポケットを使用することができる。同一スリーブ上のポケットは、必要または要望に応じてサイズ設定および配置することができ、同一スリーブ上の種々のポケットは、異なるサイズの重りを収容し得る。スリーブの上部分および下部分は、同一または異なる数のポケットを有し得る。
【００４２】
図７Ａ〜Ｃは、重り付きスリーブ２５０の別の実施形態の図式的表示である。図７Ａ〜Ｃにおいて、一連の小さい重り２５２は、スリーブ２５０の上部分２５４および下部分２５６に配置される。上部分２５４において、重り２５２は、三頭筋の後部および二頭筋の上部に配置される。下部分２５６において、重り２５２は、前腕の外側部の上に配置される。図７Ａ〜Ｃの実施形態において、重り２５２は、スリーブ２５０に縫い付けられるボールベアリングの小嚢である。他の実施形態において、ポケットは、ボールベアリングまたは他の重りを保持するように使用することができる。図７Ａ〜Ｃの実施形態において、重り２５２は、一般に、野球の投球を抑制しないように配置される。
【００４３】
重り付き衣服は、使い易さのための追加のメカニックを含み得る。図８は、スリーブ２２０がより容易に着脱されることを可能にする、上および下部分の上にジッパー２２２および２２４を含む、スリーブ２２０の一実施形態の図式的表示である。折り重ねのフックアンドループストラップ２２６および２２８、ボタンまたは他の取付メカニックは、ジッパーを完全に閉じたときに、ジッパーの末端を保護するように使用することができる。複数のジッパーが、図８において示されるが、単一のジッパーが、スリーブの長さ、またはスリーブ２２０の長さの一部分を進むことができる。フックアンドループ締結具のストリップ、ボタン、結び目、またはスリーブの長さあるいは長さ一部分に沿って、スリーブを開閉するための他のメカニックを含む、他の閉合メカニックを使用することもできる。スリーブは、アスリートがスリーブの着脱することを容易にする裏地を含んでもよい。
【００４４】
図９は、重り付きスリーブ３０２を有するフルシャツ設計を備える、重り付き衣服３００の別の実施形態の図式的表示である。フルシャツ（ｆｕｌｌ−ｓｈｉｒｔ）設計は、グリッピング材料またはストラップを必要とせずに、使用中にスリーブが滑動することを防止する。衣服３００の本体３０４は、圧縮材料、水分を逃がす材料、または他の材料を含むが、これらに限定されない任意の適切な材料で作製することができる。１つのスリーブのみが重り付きであるように示されるが、両方のスリーブに重りを付けることができるか、または同一のシャツが左利きまたは右利きの動作に使用できるような重り用のポケットを含む。
【００４５】
したがって、本明細書に記載される実施形態は、可撓性形式のフィッティングスリーブを含み得る、野球の投球運動を訓練するための衣服を含み得る。重りは、ポケット内に保持されるか、スリーブに接着されるか、またはそうでなければ、スリーブの上もしくは内の所定の位置に固定されることによって、スリーブに連結することができる。重り付き衣服は、この重り付き衣服が、着用者の自然な投球運動に干渉しないように構成されることができる。上述された重り付き衣服は、運動を行うときに、着用者の自然なメカニックに干渉せずに、多様な他の投球およびスイング運動を訓練するために使用することもできる。
【００４６】
上記実施形態は、腕の上に重りを配置することに関して主に論じられたが、重りは、多様な他のアスレチック運動を能動的に強化するように、身体の他の場所に戦略的に配置することもできる。図１０は、脚にフィットするようにサイズ設定された重り付き脚スリーブ４００の一実施形態の図式的表示である。脚スリーブ４００は、下脚重りおよび上脚重りを所定の位置に保持するためのポケット４１０を含み得る。スリーブ４００は、上脚部分４０４、下脚部分４０６、および接合部分４０８（例えば、膝部分４０８）を含み得る。上脚部分４０４は、膝の上から腿の上に延在する。下脚部分４０６は、膝の下から踝まで延在する。膝部分４０８は、着用者の膝の上脚部分４０４と下脚部分４０６との間に広がる。
【００４７】
スリーブ４００は、単一パネルの材料で形成することができるか、または縫合、接着、またはそうでなければ一緒に連結された複数パネルの材料から形成することができる。付加的に、スリーブ４００は、通気性または他の機能のための開口部を含み得る。一実施形態にしたがって、スリーブ４００は、ぴったりフィットする可撓性材料で形成される。例として、スリーブ４００は、圧縮材料（例えば、Ｕｎｄｅｒ  Ａｒｍｏｕｒ  Ｉｎｃ．（メリーランド州ボルチモア）から提供される、圧縮材料、ネオプレン、または他の圧縮材料）または他の材料から形成することができるが、これに限定されない。圧縮材料の一例は、約６３％のナイロン、２３％のポリエステル、および１４％のエラスチンである、Ｕｎｄｅｒ  Ａｒｍｏｕｒの圧縮材料である。ネオプレンの一例は、２ｍｍ  Ｌ−泡沫ネオプレンである。ネオプレン等の圧縮材料は、使用中の流動運動を可能にしながら、圧縮を提供することができる。付加的に、これらの材料は、筋肉を温め続けることによって、付加的な利点を提供する。
【００４８】
スリーブの種々の領域は、異なる厚さまたは材料特性を有し得る。非限定例として、膝部分４０８は、スリーブの領域の運動を容易にするために、スリーブ４００の残りと比較して、より薄いネオプレンで形成することができるか、またはより可撓性形式のネオプレンで作製することができる。例えば、膝部分４０８は、伸縮性のフレックスネオプレンで形成することができる。当業者であれば、他の圧縮材料または他の材料を使用することができ、材料の厚さおよび特性は、必要または要望に応じて選択できることを理解するであろう。
【００４９】
一実施形態において、スリーブ４００は、磁化材料（例えば、Ｐｈｉｔｅｎまたは他の材料）等の有益かつ有利な材料を組み込むことができる。種々の実施形態において、Ｐｈｉｔｅｎ材料は、スリーブ４００の長さ全体に縫合することができ、Ｐｈｉｔｅｎの目立たない特性によって、材料は、重り付き衣服の用途のいずれにも干渉しない。代替実施形態において、重り付きスリーブの一部分のみが、Ｐｈｉｔｅｎまたは他のそのような材料を組み込む。
【００５０】
スリーブ４００は、重りを保持するためにスリーブ４００の周囲に分布した重りポケット４１０を含むことができる。一実施形態に従って、ポケット４１０は、重りの挿入および除去を可能にし得る。ポケット４１０は、重りを保持するために、ボタン、フックアンドループ締結具、またはポケット４１０を閉合する他の締結メカニック等の締結メカニックを含むことができる。他の実施形態において、ポケット４１０は、ポケット４１０の収縮に基づいて、重りを保持する伸縮性材料で作製することができる。一実施形態に従って、ポケット４１０は、ネオプレンまたは圧縮材料で形成することができる。ポケット４１０は、重りが股関節および膝に近接し、サッカーボールを蹴る等の訓練されるアスレチック運動の自然な動きに干渉しないように配置することができる。
【００５１】
使用中、スリーブ４００は、重りの推進力に起因して、滑動する傾向を有し得る。したがって、スリーブ４００は、スリーブ４００が滑動することを防止するように、保持ストラップまたはグリッピング材料の層を組み込むことができる。例えば、重り付きスリーブ４００は、これに限定されないが、粘着技術材料等のゴム製接着材料を含み、エクササイズ中にそれが腕から滑り落ちることを防止することができる。一実施形態に従って、スリーブの上部の周囲に、グリッピング材料の円形「バンド」が組み込まれる。材料は、任意の所望のサイズを有することができるが、一実施形態に従って、スリーブの上部では約０．５インチ以上の幅であり、完全または部分的にスリーブの直径に広がる。一実施形態において、このＵｎｏｂｔａｎｉｕｍ材料は、スリーブが脚から滑り落ちることを防止するために、重り付きスリーブの上部の周囲、および皮膚と重り付きスリーブ４００との間の接触の堅固な固定点として作用する重り付きポケットに沿って配置される。滑動を防止するために、他の材料を使用することもできる。好ましくは、グリッピング材料またはストラップは、キックまたは他の選択した運動の予想される負荷中に、スリーブ４００が滑動することを防止するように選択される。ストラップは、重りを所定の位置に保持することを助けるか、または腱に圧力をかけるように設置することもできる。
【００５２】
図１１および１２は、それぞれふくらはぎおよび腿を標的とする重り付きスリーブ４２０および４３０の図式的表示である。重り付きスリーブ４２０および４３０は、運動の自然なメカニックを阻害することなく、選択した運動を能動的に訓練するために、所望の位置に重りを保持することができる。スリーブ４２０および４３０は、使用中にスリーブ４２０および４３０が滑動することを防止するために、ストラップ、グリッピング材料、または他の材料を含むことができる。他の実施形態において、スリーブ４００、４２０、および４３０は、ズボンに組み込むことができる。
【００５３】
種々のサイズおよび材料の重りを使用することができる。例として、これに限定されないが、重りは、ボールベアリング、重り付きゲル、固体金属重り、または他の重りを備えることができる。図１３〜１５は、重り付き衣服とともに使用することができる重りの種々の例の図式的表示である。図１３の実施例に従って、重り５００は、あらゆる所望の形式で作製することができる。好ましくは、重り５００は、可撓性を有する所望の重りを達成するように、粒状金属５０４と溶融される可撓性材料５０２で形成される。一実施形態に従って、重り５００は、シリコーンゲルと混合される鉄粉で形成することができる。他の実施形態において、他の可撓性材料および金属を使用することができる。金属は、均等に分布させられて、重り５００が所望の重り分布プロファイルを有するように分布し得る。可撓性重りを形成する一例は、参照により本明細書に全体として組み込まれる米国特許第６，００５，０４１号において説明されている。重り５００は、重りがより容易に重り付き衣服のポケットの中へと滑動させられることを可能にするために、コーティングまたは他の材料の層で被膜することができる。例えば、一実施形態において、重り５００は、ポケットへの重り５００の挿入をより容易にするために、Ｌｙｃｒａまたは他の平滑な材料によって取り囲むことができる。
【００５４】
重り５００のサイズは、重り５００が、腕または脚の上に比較的平坦に位置するように選択することができる。一実施形態に従って、重り５００は、約１／４インチ以下であり得る。例えば、特定の一実施形態において、重り５００は、幅約４〜４．５インチ、高さ４〜４．５インチ、および厚さ１／４であり得る。しかしながら、他の実施形態において、重り５００は、任意の所望の形態要素を有することができる。好ましくは、形態要素は、重さがアスレチック運動の自然なメカニックに干渉しないように選択される。
【００５５】
図１４は、耐性ポリマーバッグ５１４にゲル５１２を含む、可撓性重り５１０の別の実施形態の図式的表示である。重り５１０の質量は、主にゲル５１２の質量に依存し得る。ゲル５１２は、より重い金属粉、ボールベアリング、または他の材料を注入して、質量を追加することができる。
【００５６】
図１５は、可撓性クロスまたはポリマーバッグ５２４の中に配置されるボールベアリング５２２を含む、可撓性重り５２０の別の実施形態の図式的表示である。重り５２０は、重り付き衣服のポケットの中に配置されるか、または重り付き衣服に直接縫合または接着させることができる。
【００５７】
上記から理解できるように、本明細書に記載の実施形態は、衣服が野球ボールを投げる等のアスレチック運動の自然なメカニックに干渉しないように、重りが選択および設置される重り付き衣服を含むことができる。動作中に、そのような重り付き衣服は、選択されたアスレチック運動を能動的に訓練するために使用することができる。図１のスリーブ１０２の実施例を使用して野球の投球を訓練するために、スリーブ１０２を使用することができる。選択した運動（例えば、投球）を任意の回数繰り返して、投球の速度または強度を増加させる。投球は、試合において行われるように行うことができる（例えば、９〜９．２５インチの円周および５〜５．２５常衡オンスの重量を有する、規定のサイズの野球ボールを使用して）。投球のパワーが増加するにつれて、スリーブの重量を増加させることができる。重りの量、反復回数、および訓練スケジュールは、アスリートに依存し得る。重さの付加される増加を容易にするために、重り付き衣服は、衣服と、多様な質量を有する重りとを含むキットとして提供することができる。
【００５８】
健康なアスリートを訓練することに加えて、重り付き衣服は、筋肉のリハビリテーション、強化、および回復のためのプログラムに使用することができる。多くのリハビリテーションプログラムは、ボールを投げる等の機能的エクササイズ、または他の機能的エクササイズを用いて、障害または疾患からの患者の回復を助ける。そのようなエクササイズは、筋萎縮を軽減または反転させることを助け、骨密度を増加させることができる。重り付き衣服は、機能的エクササイズを行うリハビリテーションプログラムの間、使用することができる。重り付き衣服は、それらが機能的エクササイズの自然なメカニックに干渉しないように構成することができるので、重り付き衣服は、リハビリテーションエクササイズの形式を損なうことなく、より高いストレスが筋肉に印加されることを可能にすることができる。これによって、エクササイズが、適切な形式であるが、エクササイズをより効果的にする高いストレスによって行われることを可能にする。
【００５９】
例として、これに限定されないが、投球運動は、肩を強化するために重り付き腕スリーブを使用して繰り返すことができる。ユーザの手の中にあるボールの付加的重量の有無にかかわらず、運動を行うことができる。治療上有効な重りおよび反復回数で行われる反復運動は、損傷した肩の強度を回復することにおいて助けとなり得る。
【００６０】
本明細書で使用する、用語「備える（ｃｏｍｐｒｉｓｅｓ、ｃｏｍｐｒｉｓｉｎｇ）」、「含む（ｉｎｃｌｕｄｅｓ、ｉｎｃｌｕｄｉｎｇ）」、「有する（ｈａｓ、ｈａｖｉｎｇ）」、またはその任意の他の変型は、非排他的な包含を網羅することが意図される。例えば、要素の一覧を備える、工程、製品、物品、または装具は、必ずしもそれらの要素のみに限定されないが、そのような工程、物品、または装具に対して明示的に列挙されないか、または固有でない他の要素を含んでもよい。さらに、明らかに反対の記載がない限り、「または」は、包括的または排他的ＯＲを指す。例えば、条件ＡまたはＢは、以下のうちのいずれか１つによって満たされる。Ａは真であり（または存在し）、Ｂは偽である（または存在しない）。Ａは偽であり（または存在せず）、Ｂは真である（または存在する）、およびＡおよびＢの両方が真である（または存在する）。
【００６１】
付加的に、本明細書において提供される任意の実施例または説明は、いかなる方法においても、それらが利用される１つ以上の任意の用語に関する制限として、それに対する限定、またはその明白な定義として見なされるものではない。代わりに、これらの実施例または説明は、特定の一実施形態に関して、単なる例示として説明されるものと見なされる。当業者であれば、これらの実施例または説明が利用される１つ以上の任意の用語が、それとともに、または明細書の他の場所で提供することができるか、または提供され得ない、他の実施形態、ならびにその実装および適合を包含し、そのような実施形態のすべては、１つ以上の該用語の範囲内に含まれることが意図されることを理解するであろう。そのような非限定例および説明を指定する言語には、これらに限定されないが、「例えば（ｆｏｒ  ｅｘａｍｐｌｅ、ｆｏｒ  ｉｎｓｔａｎｃｅ、ｅ．ｇ．）、「一実施形態において」等が挙げられる。
【００６２】
開示の種々の態様に関するさらなる修正および代替実施形態は、本記述を考慮して、当業者に明らかとなるであろう。したがって、本説明は、単なる例示として見なされるものであり、開示を実行する一般的な方法を当業者に教示する目的のためである。本明細書において図示および説明される開示の形態は、現在好適な実施形態として見なされるものであることを理解されたい。
【００６３】
要素および材料は、本明細書において例示および説明されるものと置換されてもよく、部品および工程は、反転されてもよく、ある開示される特徴は、開示の本記載の利益を有した後、当業者に明らかとなるように、独立して利用することができる。提供されるいずれかの寸法は、単なる実施例として提供され、限定ではない。さらに、支持構造の実施形態は、他の幾何学的または任意の形状を含むことができる。開示の精神および範囲から逸脱することなく、本明細書に記載される要素に変更を加えてもよい。
【図１】
2012525940.tif 000003
【図２Ａ】
2012525940.tif 000004
【図２Ｂ】
2012525940.tif 000005
【図２Ｃ】
2012525940.tif 000006
【図３】
2012525940.tif 000007
【図４】
2012525940.tif 000008
【図５Ａ】
2012525940.tif 000009
【図５Ｂ】
2012525940.tif 000010
【図６Ａ】
2012525940.tif 000011
【図６Ｂ】
2012525940.tif 000012
【図６Ｃ】
2012525940.tif 000013
【図７Ａ】
2012525940.tif 000014
【図７Ｂ】
2012525940.tif 000015
【図７Ｃ】
2012525940.tif 000016
【図８】
2012525940.tif 000017
【図９】
2012525940.tif 000018
【図１０】
2012525940.tif 000019
【図１１】
2012525940.tif 000020
【図１２】
2012525940.tif 000021
【図１３】
2012525940.tif 000022
【図１４】
2012525940.tif 000023
【図１５】
2012525940.tif 000024
【国際調査報告】
2012525940.tif 000025